(57)【要約】【課題】広帯域の無線通信を可能にするマルチプレクサ、それを備えた無線通信装置及び無線通信の制御方法を提供すること。【解決手段】一実施の形態によれば、マルチプレクサ１０は、中間周波数信号ＩＦ１の中心周波数を中心とする周波数帯と、中間周波数信号ＩＦ２の中心周波数を中心とする周波数帯と、がそれぞれ異なる周波数帯となるように、中間周波数信号ＩＦ１，ＩＦ２の少なくとも一方の中心周波数を変換する周波数変換部１０１と、周波数変換部１０１によって少なくとも一方の中心周波数が変換された中間周波数信号ＩＦ１，ＩＦ２を合成するハイブリッド回路１０２と、を備える。それにより、マルチプレクサ１０が搭載された基地局は、広帯域の無線通信を行うことが可能である。【選択図】図１
2016178394.tif 000002
【特許請求の範囲】
【請求項１】
第１中間周波数信号の中心周波数を中心とする第１周波数帯と、第２中間周波数信号の中心周波数を中心とする第２周波数帯と、がそれぞれ異なる周波数帯となるように、前記第１及び前記第２中間周波数信号の少なくとも一方の中心周波数を変換する周波数変換部と、
前記周波数変換部によって少なくとも一方の中心周波数が変換された前記第１及び前記第２中間周波数信号を合成する第１ハイブリッド回路と、を備えた、マルチプレクサ。
【請求項２】
前記周波数変換部は、前記第１周波数帯と前記第２周波数帯とが隣接するように、前記第１及び前記第２中間周波数信号の少なくとも一方の中心周波数を変換する、請求項１に記載のマルチプレクサ。
【請求項３】
外部から供給される中間周波数信号を分配する第２ハイブリッド回路と、
前記第２ハイブリッド回路により分配された一方の信号から第３中間周波数信号を通過させる第１フィルタと、
前記第２ハイブリッド回路により分配された他方の信号から、前記第３中間周波数信号の中心周波数を中心とする第３周波数帯とは異なる第４周波数帯の第４中間周波数信号、を通過させる第２フィルタと、をさらに備え、
前記周波数変換部は、前記第３周波数帯と前記第４周波数帯とがそれぞれ所定の周波数帯となるように、前記第３及び前記第４中間周波数信号の少なくとも一方の中心周波数を変換する、請求項１又は２に記載のマルチプレクサ。
【請求項４】
前記周波数変換部によって中心周波数が変換される前の前記第３及び前記第４中間周波数信号のそれぞれの中心周波数を中心とする前記第３周波数帯及び前記第４周波数帯は、隣接している、請求項３に記載のマルチプレクサ。
【請求項５】
前記第１中間周波数信号と前記第３中間周波数信号とによって共用される第１マルチプレクサ部と、
前記第２中間周波数信号と前記第４中間周波数信号とによって共用される第２マルチプレクサ部と、をさらに備えた、請求項３又は４に記載のマルチプレクサ。
【請求項６】
請求項３〜５の何れか一項に記載のマルチプレクサを備え、
前記マルチプレクサから出力された中間周波数信号を高周波信号に変調してアンテナを介して外部に無線送信するとともに、外部から前記アンテナを介して無線受信した高周波信号を中間周波数信号に復調して前記マルチプレクサに供給する、無線送受信装置。
【請求項７】
請求項３〜５の何れか一項に記載のマルチプレクサと、
第１ベースバンド信号を変調して前記第１中間周波数信号を出力するとともに、前記マルチプレクサから出力された前記第３中間周波数信号を第３ベースバンド信号に復調する、第１変復調装置と、
第２ベースバンド信号を変調して前記第２中間周波数信号を出力するとともに、前記マルチプレクサから出力された前記第４中間周波数信号を第４ベースバンド信号に復調する、第２変復調装置と、
前記マルチプレクサから出力された中間周波数信号を高周波信号に変調してアンテナを介して外部に無線送信するとともに、外部から前記アンテナを介して無線受信した高周波信号を中間周波数信号に復調して前記マルチプレクサに供給する、無線送受信装置と、を備えた、無線通信装置。
【請求項８】
前記マルチプレクサは、前記無線送受信装置の内部に設けられている、請求項７に記載の無線通信装置。
【請求項９】
外部から供給される中間周波数信号を分配するハイブリッド回路と、
前記ハイブリッド回路により分配された一方の信号から第３中間周波数信号を通過させる第１フィルタと、
前記ハイブリッド回路により分配された他方の信号から、前記第３中間周波数信号の中心周波数を中心とする第３周波数帯とは異なる第４周波数帯の第４中間周波数信号、を通過させる第２フィルタと、
前記第３周波数帯と前記第４周波数帯とがそれぞれ所定の周波数帯となるように、前記第３及び前記第４中間周波数信号の少なくとも一方の中心周波数を変換する周波数変換部と、を備えた、マルチプレクサ。
【請求項１０】
第１ベースバンド信号及び当該第１ベースバンド信号とは異なる第２ベースバンド信号をそれぞれ変調して第１及び第２中間周波数信号を生成し、
第１中間周波数信号の中心周波数を中心とする第１周波数帯と、第２中間周波数信号の中心周波数を中心とする第２周波数帯と、がそれぞれ異なる周波数帯となるように、前記第１及び前記第２中間周波数信号の少なくとも一方の中心周波数を変換し、
少なくとも一方の中心周波数が変換された前記第１及び前記第２中間周波数信号を合成し、
合成された中間周波数信号を高周波信号に変調してアンテナを介して外部に無線送信する、無線通信の制御方法。
【請求項１１】
前記第１周波数帯と前記第２周波数帯とが隣接するように、前記第１及び前記第２中間周波数信号の少なくとも一方の中心周波数を変換する、請求項１０に記載の無線通信の制御方法。
【請求項１２】
外部から供給される中間周波数信号を分配し、
分配された一方の信号から第３中間周波数信号を通過させ、
分配された他方の信号から、前記第３中間周波数信号の中心周波数を中心とする第３周波数帯とは異なる第４周波数帯の第４中間周波数信号、を通過させ、
前記第３周波数帯と前記第４周波数帯とがそれぞれ所定の周波数帯となるように、前記第３及び前記第４中間周波数信号の少なくとも一方の中心周波数を変換し、
少なくとも一方の中心周波数が変換された前記第３及び前記第４中間周波数信号をそれぞれ復調して第３及び第４ベースバンド信号を生成する、請求項１０又は１１に記載の無線通信の制御方法。
【請求項１３】
中心周波数が変換される前の前記第３及び前記第４中間周波数信号のそれぞれの中心周波数を中心とする前記第３周波数帯及び前記第４周波数帯は、隣接している、請求項１２に記載の無線通信の制御方法。
【発明の詳細な説明】
【技術分野】
【０００１】
本発明は、マルチプレクサ、それを備えた無線通信装置及び無線通信の制御方法に関し、例えば、無線通信の広帯域化に適したマルチプレクサ、それを備えた無線通信装置及び無線通信の制御方法に関する。
【背景技術】
【０００２】
マイクロ波通信は、主に基地局間の無線通信に用いられる。近年では、移動通信の高速化に伴い、マイクロ波通信の大容量化が求められている。ここで、マイクロ波通信の大容量化は、例えば、無線通信の広帯域化により実現可能であるが、無線通信の広帯域化は技術的に難易度が高いことが知られている。
【０００３】
マイクロ波通信に関する技術が特許文献１に開示されている。特許文献１に開示されたマイクロ波通信システムでは、一方の基地局が、他方の基地局から無線送信された２つの無線周波数信号を受信し、それらを復調し、品質の良い方を再生ベースバンド信号として出力している。
【先行技術文献】
【特許文献】
【０００４】
【特許文献１】特開２００６−１９７３４３号公報
【発明の概要】
【発明が解決しようとする課題】
【０００５】
しかしながら、特許文献１の構成では、無線通信の広帯域化については言及されておらず、依然として無線通信の広帯域化が困難であった。そのため、マイクロ波通信の大容量化を実現することが困難であった。その他の課題と新規な特徴は、本明細書の記述および添付図面から明らかになるであろう。
【０００６】
本発明は、このような問題点を解決するためになされたものであり、広帯域の無線通信を可能にしたマルチプレクサ、それを備えた無線通信装置及び無線通信の制御方法を提供することを目的とする。
【課題を解決するための手段】
【０００７】
一実施の形態によれば、マルチプレクサは、第１中間周波数信号の中心周波数を中心とする第１周波数帯と、第２中間周波数信号の中心周波数を中心とする第２周波数帯と、がそれぞれ異なる周波数帯となるように、前記第１及び前記第２中間周波数信号の少なくとも一方の中心周波数を変換する周波数変換部と、前記周波数変換部によって少なくとも一方の中心周波数が変換された前記第１及び前記第２中間周波数信号を合成する第１ハイブリッド回路と、を備える。
【０００８】
また、一実施の形態によれば、マルチプレクサは、外部から供給される中間周波数信号を分配するハイブリッド回路と、前記ハイブリッド回路により分配された一方の信号から第３中間周波数信号を通過させる第１フィルタと、前記ハイブリッド回路により分配された他方の信号から、前記第３中間周波数信号の中心周波数を中心とする第３周波数帯とは異なる第４周波数帯の第４中間周波数信号、を通過させる第２フィルタと、前記第３周波数帯と前記第４周波数帯とがそれぞれ所定の周波数帯となるように、前記第３及び前記第４中間周波数信号の少なくとも一方の中心周波数を変換する周波数変換部と、を備える。
【０００９】
また、一実施の形態によれば、無線通信の制御方法は、第１ベースバンド信号及び当該第１ベースバンド信号とは異なる第２ベースバンド信号をそれぞれ変調して第１及び第２中間周波数信号を生成し、第１中間周波数信号の中心周波数を中心とする第１周波数帯と、第２中間周波数信号の中心周波数を中心とする第２周波数帯と、がそれぞれ異なる周波数帯となるように、前記第１及び前記第２中間周波数信号の少なくとも一方の中心周波数を変換し、少なくとも一方の中心周波数が変換された前記第１及び前記第２中間周波数信号を合成し、合成された中間周波数信号を高周波信号に変調してアンテナを介して外部に無線送信する。
【発明の効果】
【００１０】
前記一実施の形態によれば、送信時に複数の中間周波数信号の周波数帯が互いに異なる周波数帯となるように、少なくとも一つの中間周波数信号の中心周波数を変換することにより、又は、受信時に中間周波数信号から周波数帯の異なる複数の中間周波数信号を抽出した後にそれらの周波数帯が所定の周波数帯となるように、少なくとも一つの中間周波数信号の中心周波数を変換することにより、広帯域の無線通信を可能にしたマルチプレクサ、それを備えた無線通信装置及び無線通信の制御方法を提供することができる。
【図面の簡単な説明】
【００１１】
【図１】実施の形態１にかかるマルチプレクサの構成を示すブロック図である。
【図２】図１に示すマルチプレクサの具体的構成の一例を示すブロック図である。
【図３】実施の形態２にかかるマルチプレクサの構成を示すブロック図である。
【図４】図３に示すマルチプレクサの具体的構成の一例を示すブロック図である。
【図５】実施の形態３にかかるマルチプレクサの構成を示すブロック図である。
【図６】図５に示すマルチプレクサが搭載された基地局を示すブロック図である。
【図７】図５に示すマルチプレクサの具体的構成の一例を示すブロック図である。
【図８】図７に示すマルチプレクサをさらに具体的に示すブロック図である。
【図９】図５に示すマルチプレクサの具体的構成の他の例を示すブロック図である。
【図１０】図５に示すマルチプレクサの具体的構成の他の例を示すブロック図である。
【図１１】図５に示すマルチプレクサの具体的構成の他の例を示すブロック図である。
【図１２】図５に示すマルチプレクサが搭載された基地局を示すブロック図である。
【図１３】図５に示すマルチプレクサの具体的構成の他の例を示すブロック図である。
【発明を実施するための形態】
【００１２】
以下、図面を参照しつつ、実施の形態について説明する。なお、図面は簡略的なものであるから、この図面の記載を根拠として実施の形態の技術的範囲を狭く解釈してはならない。また、同一の要素には、同一の符号を付し、重複する説明は省略する。
【００１３】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、応用例、詳細説明、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１４】
さらに、以下の実施の形態において、その構成要素（動作ステップ等も含む）は、特に明示した場合および原理的に明らかに必須であると考えられる場合等を除き、必ずしも必須のものではない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数等（個数、数値、量、範囲等を含む）についても同様である。
【００１５】
＜実施の形態１＞
図１は、実施の形態１に係るマルチプレクサの構成を示すブロック図である。
図１に示すマルチプレクサ１０は、例えば、基地局（無線通信装置）を構成する複数の変復調装置と無線送受信装置との間に設けられている。そして、マルチプレクサ１０は、複数の変復調装置から出力された複数の中間周波数信号の周波数帯が互いに異なる周波数帯となるように、少なくとも一つの中間周波数信号の中心周波数を変換したうえで、当該複数の中間周波数信号を合成し、無線送受信装置に出力する。それにより、基地局は、一つのアンテナ及び一つの無線送受信装置を用いて広帯域の高周波信号を無線送信することができる。以下、具体的に説明する。
【００１６】
図１に示すように、マルチプレクサ１０は、周波数変換部１０１と、ハイブリッド回路（第１ハイブリッド回路）１０２と、を備える。
【００１７】
周波数変換部１０１は、変復調装置（第１変復調装置）Ｉ１から出力された中間周波数信号（第１中間周波数信号）ＩＦ１の中心周波数を中心とする周波数帯（第１周波数帯）と、変復調装置（第２変復調装置）Ｉ２から出力された中間周波数信号（第２中間周波数信号）ＩＦ２の中心周波数を中心とする周波数帯（第２周波数帯）と、が互いに異なる周波数帯となるように、中間周波数信号ＩＦ１，ＩＦ２の少なくとも一方の中心周波数を変換して出力する。ハイブリッド回路１０２は、いわゆる合成器であって、少なくとも一方の中心周波数が変換された中間周波数信号ＩＦ１，ＩＦ２を合成して一つの中間周波数信号ＩＦｔとして無線送受信装置Ｏ１に出力する。
【００１８】
なお、変復調装置Ｉ１は、屋内装置（ＩＤＵ；In Door Unit）であって、第１ベースバンド信号を変調して中間周波数信号ＩＦ１を出力する。変復調装置Ｉ２は、屋内装置であって、第１ベースバンド信号とは異なる第２ベースバンド信号を変調して中間周波数信号ＩＦ２を出力する。また、無線送受信装置Ｏ１は、屋外装置（ＯＤＵ；Outdoor Unit）であって、マルチプレクサ１０から出力された中間周波数信号ＩＦｔを高周波信号に変調した後、アンテナを介して外部に無線送信する。
【００１９】
本実施の形態では、変復調装置Ｉ１から出力される中間周波数信号ＩＦ１の中心周波数（ＴＸ１）が１４０ＭＨｚ、その帯域幅（ＢＷ１）が１０ＭＨｚ、変復調装置Ｉ２から出力される中間周波数信号ＩＦ２の中心周波数（ＴＸ２）が１４０ＭＨｚ、その帯域幅（ＢＷ２）が１０ＭＨｚ、無線送受信装置Ｏ１に供給する中間周波数信号ＩＦｔの帯域幅（ＢＷ）が２０ＭＨｚである場合を例に説明する。
【００２０】
この場合、周波数変換部１０１は、例えば、中間周波数信号ＩＦ１の中心周波数を１４０ＭＨｚに維持するとともに、中間周波数信号ＩＦ２の中心周波数を１４０ＭＨｚから１０ＭＨｚ高い１５０ＭＨｚに変換する。ここで、中間周波数信号ＩＦ１，ＩＦ２の帯域幅は何れも１０ＭＨｚであるから、周波数変換後の中間周波数信号ＩＦ１の使用周波数帯は１３５〜１４５ＭＨｚを維持するのに対し、周波数変換後の中間周波数信号ＩＦ２の使用周波数帯は１４５〜１５５ＭＨｚとなる。つまり、周波数変換後の中間周波数信号ＩＦ１，ＩＦ２のそれぞれの周波数帯は、重複せずに異なっており、特に本例では隣接している。具体的には、周波数変換後の中間周波数信号ＩＦ１，ＩＦ２のそれぞれの周波数帯が、周波数変換後の中間周波数信号ＩＦ１の最大周波数と、周波数変換後の中間周波数信号ＩＦ２の最小周波数と、で接している。その後、ハイブリッド回路１０２は、周波数変換後の中間周波数信号ＩＦ１，ＩＦ２を合成することで、中心周波数が１４５ＭＨｚ、帯域幅が２０ＭＨｚの中間周波数信号ＩＦｔを生成する。ハイブリッド回路１０２により生成されたこの中間周波数信号ＩＦｔは、無線送受信装置Ｏ１に出力される。
【００２１】
（マルチプレクサ１０の具体的構成の一例）
図２は、マルチプレクサ１０の具体的構成の一例をマルチプレクサ１０ａとして示すブロック図である。マルチプレクサ１０ａでは、周波数変換部１０１の具体的構成の一例が周波数変換部１０１ａとして示されている。
【００２２】
図２に示すように、マルチプレクサ１０ａは、周波数変換部１０１ａと、ハイブリッド回路１０２と、ＤＣカット部１０３と、を有する。周波数変換部１０１ａは、局部発振器ＬＯ１２と、ミキサＭ１２と、を有する。
【００２３】
ＤＣカット部１０３は、例えば、変復調装置Ｉ１から出力された中間周波数信号ＩＦ１に含まれるＤＣ成分や制御信号ＣＴＬ成分をカットする部である。
【００２４】
周波数変換部１０１ａにおいて、局部発振器ＬＯ１２は、中間周波数信号ＩＦ１に含まれる制御信号ＣＴＬに応じた周波数の発振信号を出力する。ミキサＭ１２は、変復調装置Ｉ２から出力された中間周波数信号ＩＦ２と、局部発振器ＬＯ１２からの発振信号と、を混合することで、中間周波数信号ＩＦ２の中心周波数を変換する。本例では、ミキサＭ１２は、１０ＭＨｚの発振信号を用いて、中間周波数信号ＩＦ２を１４０ＭＨｚから１５０ＭＨｚにアップコンバートしている。
【００２５】
マルチプレクサ１０ａのその他の構成については、マルチプレクサ１０と同様であるため、その説明を省略する。なお、周波数変換部１０１ａは、中間周波数信号ＩＦ２の中心周波数を変換する構成に限られず、中間周波数信号ＩＦ１の中心周波数を変換する構成、又は、中間周波数信号ＩＦ１，ＩＦ２のそれぞれの中心周波数を変換する構成に適宜変更可能である。
【００２６】
このように、本実施の形態に係るマルチプレクサ１０は、変復調装置Ｉ１，Ｉ２から出力された中間周波数信号ＩＦ１，ＩＦ２の中心周波数を中心とする周波数帯が互いに異なる周波数帯となるように、中間周波数信号ＩＦ１，ＩＦ２の少なくとも一方の中心周波数を変換したうえで、これら中間周波数信号ＩＦ１，ＩＦ２を合成し、無線送受信装置Ｏ１に出力する。それにより、マルチプレクサ１０を搭載した基地局は、一つのアンテナ及び一つの無線送受信装置を用いて広帯域の高周波信号を無線送信することができる。
【００２７】
本実施の形態では、周波数変換後の中間周波数信号ＩＦ１，ＩＦ２のそれぞれの周波数帯が隣接している場合を例に説明したが、これに限られない。周波数変換後の中間周波数信号ＩＦ１，ＩＦ２のそれぞれの周波数帯が重複せずに異なっているのであれば、隣接していなくてもよい。ただし、隣接していれば、無線通信の帯域が不要に大きくなってしまうことを防ぐことができる。その結果、例えば、中間周波数信号から高周波信号への変調を行う無線送受信装置Ｏ１の設計が容易になる。
【００２８】
＜実施の形態２＞
図３は、実施の形態２に係るマルチプレクサの構成を示すブロック図である。
図３に示すマルチプレクサ２０は、例えば、基地局（無線通信装置）を構成する複数の変復調装置と無線送受信装置との間に設けられている。そして、マルチプレクサ２０は、無線送受信装置から供給された中間周波数信号から周波数帯の異なる複数の中間周波数信号を抽出した後、それらの周波数帯が所定の周波数帯となるように、少なくとも一つの中間周波数信号の中心周波数を変換し、複数の変復調装置に出力する。それにより、基地局は、一つのアンテナ及び一つの無線送受信装置を用いて広帯域の高周波信号を無線受信することができる。以下、具体的に説明する。
【００２９】
図３に示すように、マルチプレクサ２０は、周波数変換部２０１と、バンドパスフィルタ（第１フィルタ）２０２と、バンドパスフィルタ（第２フィルタ）２０３と、ハイブリッド回路（第２ハイブリッド回路）２０４と、を備える。
【００３０】
ハイブリッド回路２０４は、いわゆる分配器であって、無線送受信装置Ｏ１から供給された中間周波数信号ＩＦｒを２つに分配する。バンドパスフィルタ２０２は、ハイブリッド回路２０４によって分配された一方の信号から中間周波数信号（第３中間周波数信号）ＩＦ３を通過させる。バンドパスフィルタ２０３は、ハイブリッド回路２０４によって分配された他方の信号から、中間周波数信号ＩＦ３の中心周波数を中心とする周波数帯（第３周波数帯）とは異なる周波数帯（第４周波数帯）の中間周波数信号（第４中間周波数信号）ＩＦ４、を通過させる。周波数変換部２０１は、中間周波数信号ＩＦ３，ＩＦ４のそれぞれの周波数帯が所定の周波数帯となるように、中間周波数信号ＩＦ３，ＩＦ４の少なくとも一方の中心周波数を変換する。周波数変換部２０１によって少なくとも一方の中心周波数が変換された中間周波数信号ＩＦ３，ＩＦ４は、それぞれ変復調装置Ｉ１，Ｉ２に出力される。
【００３１】
なお、無線送受信装置Ｏ１は、屋外装置であって、外部からアンテナを介して無線受信した高周波信号を中間周波数信号ＩＦｒに復調した後、マルチプレクサ２０に出力する。また、変復調装置Ｉ１は、屋内装置であって、マルチプレクサ２０から出力された中間周波数信号ＩＦ３を第３ベースバンド信号に復調する。変復調装置Ｉ２は、屋内装置であって、マルチプレクサ２０から出力された中間周波数信号ＩＦ４を第４ベースバンド信号に復調する。
【００３２】
本実施の形態では、変復調装置Ｉ１に入力される中間周波数信号ＩＦ３の中心周波数（ＲＸ１）が７０ＭＨｚ、その帯域幅（ＢＷ１）が１０ＭＨｚ、変復調装置Ｉ２に入力される中間周波数信号ＩＦ４の中心周波数（ＲＸ２）が７０ＭＨｚ、その帯域幅（ＢＷ２）が１０ＭＨｚ、無線送受信装置Ｏ１から供給される中間周波数信号ＩＦｒの中心周波数（ＲＸ）が７５ＭＨｚ、その帯域幅（ＢＷ）が２０ＭＨｚである場合を例に説明する。
【００３３】
この場合、無線送受信装置Ｏ１から供給される中間周波数信号ＩＦｒには、例えば、使用周波数帯が６５〜７５ＭＨｚの中間周波数信号ＩＦ３の成分と、使用周波数帯が７５〜８５ＭＨｚの中間周波数信号ＩＦ４の成分と、が含まれている。ここで、周波数変換部２０１による周波数変換前の中間周波数信号ＩＦ３，ＩＦ４のそれぞれの周波数帯は、重複せずに異なっており、特に本例では隣接している。具体的には、周波数変換前の中間周波数信号ＩＦ３，ＩＦ４のそれぞれの周波数帯が、周波数変換前の中間周波数信号ＩＦ３の最大周波数と、周波数変換前の中間周波数信号ＩＦ４の最小周波数と、で接している。そして、バンドパスフィルタ２０２は、中心周波数が７０ＭＨｚ、帯域幅が１０ＭＨｚの中間周波数信号ＩＦ３を通過させる。バンドパスフィルタ２０３は、中心周波数が８０ＭＨｚ、帯域幅が１０ＭＨｚの中間周波数信号ＩＦ４を通過させる。その後、周波数変換部２０１は、中間周波数信号ＩＦ３の中心周波数を７０ＭＨｚに維持するとともに、中間周波数信号ＩＦ４の中心周波数を８０ＭＨｚから１０ＭＨｚ低い７０ＭＨｚに変換する。周波数変換後の中間周波数信号ＩＦ３，ＩＦ４は、それぞれ変復調装置Ｉ１，Ｉ２に出力される。
【００３４】
（マルチプレクサ２０の具体的構成の一例）
図４は、マルチプレクサ２０の具体的構成の一例をマルチプレクサ２０ａとして示すブロック図である。マルチプレクサ２０ａでは、周波数変換部２０１の具体的構成の一例が周波数変換部２０１ａとして示されている。
【００３５】
図４に示すように、マルチプレクサ２０ａは、周波数変換部２０１ａと、バンドパスフィルタ２０２，２０３と、ハイブリッド回路２０４と、を有する。周波数変換部２０１ａは、局部発振器ＬＯ２２と、ミキサＭ２２と、を有する。
【００３６】
周波数変換部２０１ａにおいて、局部発振器ＬＯ２２は、制御信号ＣＴＬに応じた周波数の発振信号を出力する。ミキサＭ２２は、バンドパスフィルタ２０３を通過した中間周波数信号ＩＦ４と、局部発振器ＬＯ２２からの発振信号と、を混合することで、中間周波数信号ＩＦ４の中心周波数を変換する。本例では、ミキサＭ２２は、１０ＭＨｚの発振信号を用いて、中間周波数信号ＩＦ４を８０ＭＨｚから７０ＭＨｚにダウンコンバートしている。なお、制御信号ＣＴＬは、通常は中間周波数信号ＩＦｒとともに無線送受信装置Ｏ１から供給されるが、これに限られない。例えば、中間周波数信号ＩＦ１とともに変復調装置Ｉ１から供給されてもよい。
【００３７】
マルチプレクサ２０ａのその他の構成については、マルチプレクサ２０と同様であるため、その説明を省略する。なお、周波数変換部２０１ａは、中間周波数信号ＩＦ４の中心周波数を変換する構成に限られず、中間周波数信号ＩＦ２の中心周波数を変換する構成、又は、中間周波数信号ＩＦ３，ＩＦ４のそれぞれの中心周波数を変換する構成に適宜変更可能である。
【００３８】
このように、本実施の形態に係るマルチプレクサ２０は、無線送受信装置Ｏ１から供給された中間周波数信号から周波数帯の異なる中間周波数信号ＩＦ３，ＩＦ４を抽出した後、それらの周波数帯が所定の周波数帯となるように、中間周波数信号ＩＦ３，ＩＦ４の少なくとも一方の中心周波数を変換し、変復調装置Ｉ１，Ｉ２に出力する。それにより、マルチプレクサ２０を搭載した基地局は、一つのアンテナ及び一つの無線送受信装置を用いて広帯域の高周波信号を無線受信することができる。
【００３９】
本実施の形態では、周波数変換前の中間周波数信号ＩＦ３，ＩＦ４のそれぞれの周波数帯が隣接している場合を例に説明したが、これに限られない。周波数変換前の中間周波数信号ＩＦ３，ＩＦ４のそれぞれの周波数帯が重複せずに異なっているのであれば、隣接していなくてもよい。ただし、隣接していれば、無線通信の帯域が不要に大きくなってしまうことを防ぐことができる。その結果、例えば、高周波信号から中間周波数信号への復調を行う無線送受信装置Ｏ１の設計が容易になる。
【００４０】
＜実施の形態３＞
図５は、実施の形態３に係るマルチプレクサの構成を示すブロック図である。図５に示すマルチプレクサ３０は、マルチプレクサ１０，２０を組み合わせたものであって、周波数変換部１０１，２０１、ハイブリッド回路１０２，２０４、及び、バンドパスフィルタ２０２，２０３に加えて、マルチプレクサ（第１及び第２マルチプレクサ部）３０１，３０２をさらに備える。
【００４１】
マルチプレクサ３０１は、無線送信に用いられる中間周波数信号ＩＦ１と、無線受信された高周波信号から得られる中間周波数信号ＩＦ３と、によって共用される。それにより、共通の入出力端子を介して同時送受信することが可能となる。
【００４２】
マルチプレクサ３０２は、無線送信に用いられる中間周波数信号ＩＦ２と、無線受信された高周波信号から得られる中間周波数信号ＩＦ４と、によって共用される。それにより、共通の入出力端子を介して同時送受信することが可能となる。
【００４３】
例えば、マルチプレクサ３０１，３０２は、送信信号及び受信信号のそれぞれの周波数帯を別にすることで同時送受信を実現するＦＤＤ（Frequency Division Duplexing）方式に用いられるフィルタである。この場合、マルチプレクサ３０１，３０２は、送信信号及び受信信号を分波するデュプレクサを構成している。本実施の形態では、マルチプレクサ３０１，３０２がＦＤＤ方式に用いられるフィルタである場合を例に説明する。
【００４４】
なお、マルチプレクサ３０１，３０２は、送信信号及び受信信号を時分割多重化することで擬似的に同時送受信を実現するＴＤＤ（Time Division Duplexing）方式に用いられるフィルタであってもよい。この場合、マルチプレクサ３０１，３０２は、送信信号及び受信信号が通過する帯域通過フィルタを構成する。そして、一般的には、フィルタリング経路を送信信号側及び受信信号側に時分割に切り替えるスイッチ回路（不図示）がさらに設けられる。このＴＤＤ方式では、送信と受信の周波数が同じになる。
【００４５】
マルチプレクサ３０のその他の構成及び動作については、マルチプレクサ１０，２０を組み合わせたものと同様であるため、その説明を省略する。
【００４６】
このように、本実施の形態に係るマルチプレクサ３０は、マルチプレクサ１０，２０の両方の機能を有する。それにより、マルチプレクサ３０を搭載した基地局は、一つのアンテナ及び一つの無線送受信装置を用いて広帯域の無線通信を行うことができる。
【００４７】
（マルチプレクサ３０の適用事例）
図６は、マルチプレクサ３０が搭載された基地局（無線通信装置）１を示すブロック図である。
【００４８】
基地局１は、変復調装置Ｉ１，Ｉ２と、無線送受信装置Ｏ１と、を備える。本例では、マルチプレクサ３０は、無線送受信装置Ｏ１の内部に設けられている。これは、マルチプレクサ３０を内蔵した無線送受信装置Ｏ１が新規に設計された場合等に相当する。なお、当然ながら、マルチプレクサ３０が無線送受信装置Ｏ１の外部に設けられてもよい。基地局１は、例えば、他の基地局と、無線通信（特にマイクロ波通信）を行う。
【００４９】
以下、マルチプレクサ３０の具体的構成をいくつか紹介する。
【００５０】
（マルチプレクサ３０の具体的構成の一例）
図７は、マルチプレクサ３０の具体的構成の一例をマルチプレクサ３０ａとして示すブロック図である。マルチプレクサ３０ａでは、周波数変換部１０１，２０１の具体的構成の一例が周波数変換部１０１ａ，２０１ａとして示されている。
【００５１】
図７に示すように、マルチプレクサ３０ａは、周波数変換部１０１ａ，２０１ａと、ハイブリッド回路１０２，２０４と、バンドパスフィルタ２０２，２０３と、マルチプレクサ３０１，３０２と、ＤＣカット部３０３と、を備える。ＤＣカット部３０３は、ＤＣカット部１０３に対応する。
【００５２】
マルチプレクサ３０ａのその他の構成については、マルチプレクサ１０ａ，２０ａを組み合わせたものと同様であるため、その説明を省略する。
【００５３】
（マルチプレクサ３０ａのさらに具体的な構成）
図８は、マルチプレクサ３０ａのさらに具体的な構成をマルチプレクサ３０ｂとして示すブロック図である。
【００５４】
図８に示すように、マルチプレクサ３０ｂは、マルチプレクサ３０ａの構成に加えて、ＤＣカット部３０４〜３０６と、送信インターフェース部（以下、送信ＩＦ部と称す）３０７，３０８と、受信インターフェース部（以下、受信ＩＦ部）３０９，３１０と、をさらに備える。
【００５５】
ＤＣカット部３０４は、例えば、変復調装置Ｉ２から出力された中間周波数信号ＩＦ２に含まれるＤＣ成分や制御信号ＣＴＬ成分をカットする。ＤＣカット部３０５，３０６は、無線送受信装置Ｏ１からのＤＣ成分等をカットする。
【００５６】
送信ＩＦ部３０７は、例えばアンプ及びアッテネータを有し、中間周波数信号ＩＦ１を適切なレベルまで増幅又は減衰する。送信ＩＦ部３０８は、例えばアンプ及びアッテネータを有し、中間周波数信号ＩＦ２を適切なレベルまで増幅又は減衰する。受信ＩＦ部３０９は、例えばアンプ及びアッテネータを有し、中間周波数信号ＩＦ３を適切なレベルまで増幅又は減衰する。受信ＩＦ部３１０は、例えばアンプ及びアッテネータを有し、中間周波数信号ＩＦ４を適切なレベルまで増幅又は減衰する。
【００５７】
マルチプレクサ３０ｂのその他の構成については、マルチプレクサ３０ａと同様であるため、その説明を省略する。
【００５８】
（マルチプレクサ３０の具体的構成の他の例）
図９は、マルチプレクサ３０の具体的構成の他の例をマルチプレクサ３０ｃとして示すブロック図である。マルチプレクサ３０ｃは、マルチプレクサ３０ｂと比較して、周波数変換部１０１ａ，２０１ａに代えて周波数変換部１０１ｃ，２０１ｃを備える。
【００５９】
周波数変換部１０１ｃは、局部発振器ＬＯ１１，ＬＯ１２と、ミキサＭ１１，Ｍ１２と、を有する。周波数変換部２０１ｃは、局部発振器ＬＯ２１，ＬＯ２２と、ミキサＭ２１，Ｍ２２と、を有する。
【００６０】
周波数変換部１０１ｃにおいて、局部発振器ＬＯ１１，ＬＯ１２は、それぞれ制御信号ＣＴＬに応じた周波数の発振信号を出力する。ミキサＭ１１は、中間周波数信号ＩＦ１と、局部発振器ＬＯ１１からの発振信号と、を混合することで、中間周波数信号ＩＦ１の中心周波数を変換する。ミキサＭ１２は、中間周波数信号ＩＦ２と、局部発振器ＬＯ１２からの発振信号と、を混合することで、中間周波数信号ＩＦ２の中心周波数を変換する。
【００６１】
周波数変換部２０１ｃにおいて、局部発振器ＬＯ２１，ＬＯ２２は、それぞれ制御信号ＣＴＬに応じた周波数の発振信号を出力する。ミキサＭ２１は、中間周波数信号ＩＦ３と、局部発振器ＬＯ２１からの発振信号と、を混合することで、中間周波数信号ＩＦ３の中心周波数を変換する。ミキサＭ２２は、中間周波数信号ＩＦ４と、局部発振器ＬＯ２２からの発振信号と、を混合することで、中間周波数信号ＩＦ４の中心周波数を変換する。
【００６２】
本実施の形態では、無線送受信装置Ｏ１に供給する中間周波数信号ＩＦｔの中心周波数（ＴＸ）が１６５ＭＨｚ、無線送受信装置Ｏ１から供給される中間周波数信号ＩＦｒの中心周波数が７０ＭＨｚ、それらの帯域幅（ＢＷ）が２０ＭＨｚである場合を例に説明する。
【００６３】
この場合、周波数変換部１０１ｃは、例えば、中間周波数信号ＩＦ１の中心周波数を１４０ＭＨｚから２０ＭＨｚ高い１６０ＭＨｚに変換するとともに、中間周波数信号ＩＦ２の中心周波数を１４０ＭＨｚから３０ＭＨｚ高い１７０ＭＨｚに変換する。ここで、中間周波数信号ＩＦ１，ＩＦ２の帯域幅は何れも１０ＭＨｚであるから、周波数変換後の中間周波数信号ＩＦ１の使用周波数帯は１５５〜１６５ＭＨｚとなり、周波数変換後の中間周波数信号ＩＦ２の使用周波数帯は１６５〜１７５ＭＨｚとなる。つまり、周波数変換後の中間周波数信号ＩＦ１，ＩＦ２のそれぞれの周波数帯は、重複せずに異なっており、特に本例では隣接している。その後、ハイブリッド回路１０２は、周波数変換後の中間周波数信号ＩＦ１，ＩＦ２を合成することで、中心周波数が１６５ＭＨｚ、帯域幅が２０ＭＨｚの中間周波数信号ＩＦｔを生成する。ハイブリッド回路１０２により生成されたこの中間周波数信号ＩＦｔは、無線送受信装置Ｏ１に出力される。
【００６４】
また、無線送受信装置Ｏ１から供給された中間周波数信号ＩＦｒには、例えば、使用周波数帯が６０〜７０ＭＨｚの中間周波数信号ＩＦ３の成分と、使用周波数帯が７０〜８０ＭＨｚの中間周波数信号ＩＦ４の成分と、が含まれている。ここで、周波数変換部２０１ｃによる周波数変換前の中間周波数信号ＩＦ３，ＩＦ４のそれぞれの周波数帯は、重複せずに異なっており、特に本例では隣接している。そして、バンドパスフィルタ２０２は、中心周波数が６５ＭＨｚ、帯域幅が１０ＭＨｚの中間周波数信号ＩＦ３を通過させる。バンドパスフィルタ２０３は、中心周波数が７５ＭＨｚ、帯域幅が１０ＭＨｚの中間周波数信号ＩＦ４を通過させる。その後、周波数変換部２０１ｃは、中間周波数信号ＩＦ３の中心周波数を６５ＭＨｚから５ＭＨｚ高い７０ＭＨｚに変換するとともに、中間周波数信号ＩＦ４の中心周波数を７５ＭＨｚから５ＭＨｚ低い７０ＭＨｚに変換する。周波数変換後の中間周波数信号ＩＦ３，ＩＦ４は、それぞれ変復調装置Ｉ１，Ｉ２に出力される。
【００６５】
マルチプレクサ３０ｃのその他の構成及び動作については、マルチプレクサ３０ｂと同様であるため、その説明を省略する。
【００６６】
（マルチプレクサ３０の具体的構成の他の例）
図１０は、マルチプレクサ３０の具体的構成の他の例をマルチプレクサ３０ｄとして示すブロック図である。
【００６７】
マルチプレクサ３０ｄは、例えば、ｎ（ｎは３以上の整数）個の変復調装置Ｉ１〜Ｉｎと、無線送受信装置Ｏ１と、の間に設けられている。そして、マルチプレクサ３０ｄは、送信時には、変復調装置Ｉ１〜Ｉｎから出力されたｎ本の中間周波数信号の中心周波数を中心とする周波数帯が互いに異なる周波数帯となるように、当該ｎ本の中間周波数信号の何れかの中心周波数を変換したうえで、それらを合成し、無線送受信装置Ｏ１に出力する。また、マルチプレクサ３０ｄは、受信時には、無線送受信装置Ｏ１から供給された中間周波数信号から周波数帯の異なるｎ本の中間周波数信号を抽出した後、それらの周波数帯が所定の周波数帯となるように、当該ｎ本の中間周波数信号の何れかの中心周波数を変換して変復調装置Ｉ１〜Ｉｎに出力する。それにより、基地局は、一つのアンテナ及び一つの無線送受信装置を用いてさらに広帯域の無線通信を行うことができる。
【００６８】
具体的には、マルチプレクサ３０ｄに設けられた周波数変換部１０１ｄは、局部発振器ＬＯ１１と、逓倍器Ｄ１＿１〜Ｄ１＿ｎと、ミキサＭ１＿１〜Ｍ１＿ｎと、を備える。マルチプレクサ３０ｄに設けられた周波数変換部２０１ｄは、局部発振器ＬＯ２１と、逓倍器Ｄ２＿１〜Ｄ２＿ｎと、ミキサＭ２＿１〜Ｍ２＿ｎと、を備える。
【００６９】
例えば、局部発振器ＬＯ１１は、各変復調装置Ｉ１〜Ｉｎで用いられる帯域幅と同じ値の周波数（本例では１０ＭＨｚ）の発振信号を出力する。また、逓倍器Ｄ１＿ｉ（ｉは１〜ｎの何れか）は、局部発振器ＬＯ１１から出力された発振信号をｎ＋ｉ−１倍に逓倍して出力する。そして、ミキサＭ１＿１〜Ｍ１＿ｎは、それぞれ、変復調装置Ｉ１〜Ｉｎから出力されたｎ本の中間周波数信号と、逓倍器Ｄ１＿１〜Ｄ１＿ｎにより逓倍された発振信号と、を混合する。それにより、変復調装置Ｉ１〜Ｉｎから出力されたｎ本の中間周波数信号のそれぞれの周波数帯は、異なる周波数帯となるように変換される。
【００７０】
また、例えば、局部発振器ＬＯ２１は、各変復調装置Ｉ１〜Ｉｎで用いられる帯域幅と同じ値の周波数（本例では１０ＭＨｚ）の発振信号を出力する。逓倍器Ｄ２＿ｉは、局部発振器ＬＯ２１から出力された発振信号をｉ−１倍に逓倍して出力する。なお、この場合、逓倍器Ｄ２＿１は設けられなくてもよい。そして、ミキサＭ２＿１〜Ｍ２＿ｎは、それぞれ、無線送受信装置Ｏ１から供給された中間周波数信号ＩＦｒから抽出された周波数帯の異なるｎ本の中間周波数信号と、逓倍器Ｄ２＿１〜Ｄ２＿ｎにより逓倍された発振信号と、を混合する。それにより、当該ｎ本の中間周波数信号のそれぞれの周波数帯は、所定の周波数帯となるように変換される。
【００７１】
このような構成のマルチプレクサ３０ｄを搭載した基地局は、一つのアンテナ及び一つの無線送受信装置を用いてさらに広帯域の無線通信を行うことができる。
【００７２】
（マルチプレクサ３０の具体的構成の他の例）
図１１は、マルチプレクサ３０の具体的構成の他の例をマルチプレクサ３０ｅとして示すブロック図である。マルチプレクサ３０ｅは、マルチプレクサ３０ｃと比較して、マルチプレクサ３１１をさらに備えるとともに、ＤＣカット部３０５，３０６に代えてＤＣカット部３１２を備える。
【００７３】
マルチプレクサ３１１は、無線送受信装置Ｏ１に供給する中間周波数信号ＩＦｔと、無線送受信装置Ｏ１から供給される中間周波数信号ＩＦｒと、によって共用される。それにより、無線送受信装置Ｏ１側に設けられた共通の入出力端子を介して同時送受信が可能となる。ＤＣカット部３１２は、無線送受信装置Ｏ１からのＤＣ成分等をカットする。
【００７４】
マルチプレクサ３０ｅのその他の構成については、マルチプレクサ３０ｃと同様であるため、その説明を省略する。
【００７５】
このように、マルチプレクサ３０ｅは、無線送受信装置Ｏ１に供給する中間周波数信号ＩＦｔと、無線送受信装置Ｏ１から供給される中間周波数信号ＩＦｒと、を共通の入出力端子を介して同時送受信することができるため、例えば、既存の無線送受信装置Ｏ１に外付けして用いられることができる。
【００７６】
本例では、外部からの制御信号ＣＴＬに基づいて各局部発振器の発振周波数が直接制御されているが、これに限られない。マルチプレクサ３０ｅには、外部からの制御信号ＣＴＬに基づいて各局部発振器の発振周波数を制御する制御部（ＣＰＵ等）がさらに設けられてもよい。
【００７７】
（マルチプレクサ３０ｅの適用事例）
図１２は、マルチプレクサ３０ｅが搭載された基地局（無線通信装置）２を示すブロック図である。
【００７８】
基地局２は、変復調装置Ｉ１，Ｉ２と、無線送受信装置Ｏ１と、マルチプレクサ３０ｅと、を備える。本例では、マルチプレクサ３０ｅは、無線送受信装置Ｏ１の外部に設けられている（外付けされている）。これは、無線送受信装置Ｏ１が既存のものである場合等に相当する。基地局２は、例えば、他の基地局と、無線通信（特にマイクロ波通信）を行う。
【００７９】
（マルチプレクサ３０の具体的構成の他の例）
図１３は、マルチプレクサ３０の具体的構成の他の例をマルチプレクサ３０ｆとして示すブロック図である。マルチプレクサ３０ｆは、マルチプレクサ３０ｅと比較して、バンドパスフィルタ２０３に代えて、選択的に切り替え可能な３つのバンドパスフィルタ２０３１〜２０３３を備えるとともに、横軸を周波数とし縦軸を振幅とした場合に現れる一次傾斜の振幅及び位相の特性を補正する特性補正部３１３〜３１６をさらに備える。なお、上記の特性を補正する必要がなければ特性補正部３１３〜３１６は設けられなくてもよい。
【００８０】
本例では、変復調装置Ｉ１により送受信される中間周波数信号の帯域幅が１０ＭＨｚで固定されているのに対し、変復調装置Ｉ２により送受信される中間周波数信号の帯域幅が１ＭＨｚ、５ＭＨｚ又は１０ＭＨｚに可変である。
【００８１】
例えば、変復調装置Ｉ２により送受信される中間周波数信号の帯域幅が１ＭＨｚに設定された場合、周波数変換部１０１ｃは、変復調装置Ｉ１から出力された中間周波数信号ＩＦ１の中心周波数を１４０ＭＨｚから５ＭＨｚ低い１３５ＭＨｚに変換するとともに、変復調装置Ｉ２から出力された中間周波数信号ＩＦ２の中心周波数を１４０ＭＨｚから０．５ＭＨｚ高い１４０．５ＭＨｚに変換する。ここで、中間周波数信号ＩＦ１の帯域幅は１０ＭＨｚであるから、周波数変換後の中間周波数信号ＩＦ１の使用周波数帯は１３０〜１４０ＭＨｚとなり、中間周波数信号ＩＦ２の帯域幅は１ＭＨｚであるから、周波数変換後の中間周波数信号ＩＦ２の使用周波数帯は１４０〜１４１ＭＨｚとなる。つまり、周波数変換後の中間周波数信号ＩＦ１，ＩＦ２のそれぞれの周波数帯は隣接している。その後、ハイブリッド回路１０２は、周波数変換後の中間周波数信号ＩＦ１，ＩＦ２を合成することで、中心周波数が１３５．５ＭＨｚ、帯域幅が１１ＭＨｚの中間周波数信号ＩＦｔを生成する。ハイブリッド回路１０２により生成されたこの中間周波数信号ＩＦｔは、無線送受信装置Ｏ１に出力される。
【００８２】
また、このとき、無線送受信装置Ｏ１から供給された中間周波数信号ＩＦｒには、使用周波数帯が６０〜７０ＭＨｚの中間周波数信号ＩＦ３の成分と、使用周波数帯が７０〜７１ＭＨｚの中間周波数信号ＩＦ４の成分と、が含まれている。ここで、周波数変換部２０１ｃにより周波数変換される前の中間周波数信号ＩＦ３，ＩＦ４のそれぞれの周波数帯は隣接している。そして、バンドパスフィルタ２０２は、中心周波数が６５ＭＨｚ、帯域幅が１０ＭＨｚの中間周波数信号ＩＦ３を通過させる。選択されたバンドパスフィルタ２０３１は、中心周波数が７０．５ＭＨｚ、帯域幅が１ＭＨｚの中間周波数信号ＩＦ４を通過させる。その後、周波数変換部２０１ｃは、中間周波数信号ＩＦ３の中心周波数を６５ＭＨｚから５ＭＨｚ高い７０ＭＨｚに変換するとともに、中間周波数信号ＩＦ４の中心周波数を７０．５ＭＨｚから０．５ＭＨｚ低い７０ＭＨｚに変換する。周波数変換後の中間周波数信号ＩＦ３，ＩＦ４は、それぞれ変復調装置Ｉ１，Ｉ２に出力される。
【００８３】
次に、変復調装置Ｉ２により送受信される中間周波数信号の帯域幅が５ＭＨｚに設定された場合、周波数変換部１０１ｃは、変復調装置Ｉ１から出力された中間周波数信号ＩＦ１の中心周波数を１４０ＭＨｚから５ＭＨｚ低い１３５ＭＨｚに変換するとともに、変復調装置Ｉ２から出力された中間周波数信号ＩＦ２の中心周波数を１４０ＭＨｚから２．５ＭＨｚ高い１４２．５ＭＨｚに変換する。ここで、中間周波数信号ＩＦ１の帯域幅は１０ＭＨｚであるから、周波数変換後の中間周波数信号ＩＦ１の使用周波数帯は１３０〜１４０ＭＨｚとなり、中間周波数信号ＩＦ２の帯域幅は５ＭＨｚであるから、周波数変換後の中間周波数信号ＩＦ２の使用周波数帯は１４０〜１４５ＭＨｚとなる。つまり、周波数変換後の中間周波数信号ＩＦ１，ＩＦ２のそれぞれの周波数帯は隣接している。その後、ハイブリッド回路１０２は、周波数変換後の中間周波数信号ＩＦ１，ＩＦ２を合成することで、中心周波数が１３７．５ＭＨｚ、帯域幅が１５ＭＨｚの中間周波数信号ＩＦｔを生成する。ハイブリッド回路１０２により生成されたこの中間周波数信号ＩＦｔは、無線送受信装置Ｏ１に出力される。
【００８４】
また、このとき、無線送受信装置Ｏ１から供給された中間周波数信号ＩＦｒには、使用周波数帯が６０〜７０ＭＨｚの中間周波数信号ＩＦ３の成分と、使用周波数帯が７０〜７５ＭＨｚの中間周波数信号ＩＦ４の成分と、が含まれている。ここで、周波数変換部２０１ｃにより周波数変換される前の中間周波数信号ＩＦ３，ＩＦ４のそれぞれの周波数帯は隣接している。そして、バンドパスフィルタ２０２は、中心周波数が６５ＭＨｚ、帯域幅が１０ＭＨｚの中間周波数信号ＩＦ３を通過させる。選択されたバンドパスフィルタ２０３２は、中心周波数が７２．５ＭＨｚ、帯域幅が５ＭＨｚの中間周波数信号ＩＦ４を通過させる。その後、周波数変換部２０１ｃは、中間周波数信号ＩＦ３の中心周波数を６５ＭＨｚから５ＭＨｚ高い７０ＭＨｚに変換するとともに、中間周波数信号ＩＦ４の中心周波数を７２．５ＭＨｚから２．５ＭＨｚ低い７０ＭＨｚに変換する。周波数変換後の中間周波数信号ＩＦ３，ＩＦ４は、それぞれ変復調装置Ｉ１，Ｉ２に出力される。
【００８５】
最後に、変復調装置Ｉ２により送受信される中間周波数信号の帯域幅が１０ＭＨｚに設定された場合、周波数変換部１０１ｃは、変復調装置Ｉ１から出力された中間周波数信号ＩＦ１の中心周波数を１４０ＭＨｚから５ＭＨｚ低い１３５ＭＨｚに変換するとともに、変復調装置Ｉ２から出力された中間周波数信号ＩＦ２の中心周波数を１４０ＭＨｚから５ＭＨｚ高い１４５ＭＨｚに変換する。ここで、中間周波数信号ＩＦ１，ＩＦ２の帯域幅は何れも１０ＭＨｚであるから、周波数変換後の中間周波数信号ＩＦ１の使用周波数帯は１３０〜１４０ＭＨｚとなり、周波数変換後の中間周波数信号ＩＦ２の使用周波数帯は１４０〜１５０ＭＨｚとなる。つまり、周波数変換後の中間周波数信号ＩＦ１，ＩＦ２のそれぞれの周波数帯は隣接している。その後、ハイブリッド回路１０２は、周波数変換後の中間周波数信号ＩＦ１，ＩＦ２を合成することで、中心周波数が１４０ＭＨｚ、帯域幅が２０ＭＨｚの中間周波数信号ＩＦｔを生成する。ハイブリッド回路１０２により生成されたこの中間周波数信号ＩＦｔは、無線送受信装置Ｏ１に出力される。
【００８６】
また、このとき、無線送受信装置Ｏ１から供給された中間周波数信号ＩＦｒには、使用周波数帯が６０〜７０ＭＨｚの中間周波数信号ＩＦ３の成分と、使用周波数帯が７０〜８０ＭＨｚの中間周波数信号ＩＦ４の成分と、が含まれている。ここで、周波数変換部２０１ｃにより周波数変換される前の中間周波数信号ＩＦ３，ＩＦ４のそれぞれの周波数帯は隣接している。そして、バンドパスフィルタ２０２は、中心周波数が６５ＭＨｚ、帯域幅が１０ＭＨｚの中間周波数信号ＩＦ３を通過させる。選択されたバンドパスフィルタ２０３３は、中心周波数が７５ＭＨｚ、帯域幅が１０ＭＨｚの中間周波数信号ＩＦ４を通過させる。その後、周波数変換部２０１ｃは、中間周波数信号ＩＦ３の中心周波数を６５ＭＨｚから５ＭＨｚ高い７０ＭＨｚに変換するとともに、中間周波数信号ＩＦ４の中心周波数を７５ＭＨｚから５ＭＨｚ低い７０ＭＨｚに変換する。周波数変換後の中間周波数信号ＩＦ３，ＩＦ４は、それぞれ変復調装置Ｉ１，Ｉ２に出力される。
【００８７】
このように、マルチプレクサ３０ｆは、例えば、既存の無線送受信装置Ｏ１の仕様に応じて中間周波数信号ＩＦｔ，ＩＦｒの周波数帯及びその帯域幅を任意に設定及び変換することができる。
【００８８】
マルチプレクサ３０ｆは、変復調装置Ｉ２により送受信される中間周波数信号の帯域幅を１ＭＨｚ、５ＭＨｚ又は１０ＭＨｚに可変であったが、これに限られず、任意の帯域幅に可変な構成に適宜変更可能である。
【符号の説明】
【００８９】
１，２  基地局
１０  マルチプレクサ
１０ａ  マルチプレクサ
２０  マルチプレクサ
２０ａ  マルチプレクサ
３０  マルチプレクサ
３０ａ〜３０ｆ  マルチプレクサ
１０１  周波数変換部
１０１ａ，１０１ｃ，１０１ｄ  周波数変換部
１０２  ハイブリッド回路
１０３  ＤＣカット部
２０１  周波数変換部
２０１ａ，２０１ｃ，２０１ｄ  周波数変換部
２０２，２０３  バンドパスフィルタ
２０３１〜２０３３  バンドパスフィルタ
２０４  ハイブリッド回路
３０１，３０２  マルチプレクサ
３０３〜３０６  ＤＣカット部
３０７，３０８  送信ＩＦ部
３０９，３１０  受信ＩＦ部
３１１  マルチプレクサ
３１２  ＤＣカット部
３１３〜３１６  特性補正部
Ａ１  アンテナ
Ｄ１＿１〜Ｄ１＿ｎ  逓倍器
Ｄ２＿１〜Ｄ２＿ｎ  逓倍器
Ｉ１，Ｉ２  変復調装置
ＬＯ１１，ＬＯ１２  局部発振器
ＬＯ２１，ＬＯ２２  局部発振器
Ｍ１１，Ｍ１２  ミキサ
Ｍ２１，Ｍ２２  ミキサ
Ｍ１＿１〜Ｍ１＿ｎ  ミキサ
Ｍ２＿１〜Ｍ２＿ｎ  ミキサ
Ｏ１  無線送受信装置
ＳＷ１，ＳＷ２  スイッチ
【図１】
2016178394.tif 000003
【図２】
2016178394.tif 000004
【図３】
2016178394.tif 000005
【図４】
2016178394.tif 000006
【図５】
2016178394.tif 000007
【図６】
2016178394.tif 000008
【図７】
2016178394.tif 000009
【図８】
2016178394.tif 000010
【図９】
2016178394.tif 000011
【図１０】
2016178394.tif 000012
【図１１】
2016178394.tif 000013
【図１２】
2016178394.tif 000014
【図１３】
2016178394.tif 000015